(57)【要約】【課題】コンバインの掻込搬送装置の構成及び伝動の簡素化。【解決手段】走行機体の前側部に刈取フレーム１２を昇降自在に設け、刈取フレーム１２の前側部に伝動軸の内装されている左右方向に沿った前伝動ケース部１２ｃを設け、この前伝動ケース部１２ｃの左右両端部から立ち上げた左・右引越し伝動ケース１６，１６の下部から左・右搬送伝動ケース２４，２４を中央寄りに向けて延出する。この左・右搬送伝動ケース２４，２４の中央寄り端部下方には左・右根元搬送装置２７，２７を設け、左・右搬送伝動ケース２４，２４の中央寄り端部上方には左・右掻込搬送装置３４，３４を設ける。前伝動ケース部１２ｃ、左・右引越し伝動ケース１６，１６及び左・右搬送伝動ケース２４，２４に内装した伝動装置を経由して、左・右根元搬送装置２７，２７及び左・右掻込搬送装置３４，３４に動力を伝達する。【選択図】        図５
2004344130.tif 000002
【特許請求の範囲】
【請求項１】
走行機体の前側部に刈取フレーム１２を昇降自在に設け、該刈取フレーム１２の前側部に伝動軸の内装されている左右方向に沿った前伝動ケース１２ｃを設け、該前伝動ケース１２ｃの左右両端部から左・右引越し伝動ケース１６，１６を立ち上げ、該左・右引越し伝動ケース１６，１６の下部から左・右搬送伝動ケース２４，２４を中央寄りに向けて延出し、該左・右搬送伝動ケース２４，２４の中央寄り端部には左・右根元搬送装置２７，２７を設け、前記前伝動ケース１２ｃ、左・右引越し伝動ケース１６，１６及び左・右搬送伝動ケース２４，２４の内部に設けられた伝動装置を経由して前記左・右根元搬送装置２７，２７に動力を伝達するように構成したことを特徴とするコンバインの刈取搬送装置。
【請求項２】
走行機体の前側部に刈取フレーム１２を昇降自在に設け、該刈取フレーム１２の前側部に伝動軸の内装されている左右方向に沿った前伝動ケース１２ｃを設け、該前伝動ケース１２ｃの左右両端部から左・右引越し伝動ケース１６，１６を立ち上げ、該左・右引越し伝動ケース１６，１６の下部から左・右搬送伝動ケース２４，２４を中央寄りに向けて延出し、該左・右搬送伝動ケース２４，２４の中央寄り端部下方にはチエン型搬送無端帯からなる左・右根元搬送装置２７，２７を設け、前記左・右搬送伝動ケース２４，２４の中央寄り端部上方にはラグ付無端帯からなる左・右掻込搬送装置３４，３４を設け、前記前伝動ケース１２ｃ、左・右引越し伝動ケース１６，１６及び左・右搬送伝動ケース２４，２４に内装した伝動装置を経由して前記左・右根元搬送装置２７，２７及び左・右掻込搬送装置３４，３４に動力を伝達するように構成したことを特徴とするコンバインの刈取搬送装置。
【請求項３】
走行機体の前側部に刈取フレーム１２を昇降自在に設け、該刈取フレーム１２の前側部に伝動軸の内装されている左右方向に沿った前伝動ケース１２ｃを設け、該前伝動ケース１２ｃの左右両端部から左・右引越し伝動ケース１６，１６を立ち上げ、該左・右引越し伝動ケース１６，１６の下部から左・右搬送伝動ケース２４，２４を中央寄りに向けて延出し、該左・右搬送伝動ケース２４，２４の中央寄り端部下方には、チエン型搬送無端帯からなる左・右根元搬送装置２７，２７を設けると共に、その下方に左・右掻込ホイール３９，３９を設け、該左・右搬送伝動ケース２４，２４の中央寄り端部上方にはラグ付無端帯からなる左・右掻込搬送装置３４，３４を設け、前記前伝動ケース１２ｃ、左・右引越し伝動ケース１６，１６及び左・右搬送伝動ケース２４，２４に内装した伝動装置を経由して前記左・右根元搬送装置２７，２７、左・右掻込搬送装置３４，３４及び左・右掻込ホイール３９，３９を駆動するように構成したことを特徴とするコンバインの刈取搬送装置。
【発明の詳細な説明】
【０００１】
【発明の属する技術分野】
この発明は、コンバインの刈取搬送装置に関するものである。
【０００２】
【従来の技術】
コンバインの刈取搬送装置において、刈取フレームの前側部に伝動軸の内装されている左右方向に沿った左右伝動ケースを設け、この左右伝動ケースの左右両端部から立ち上げた左・右引越し伝動ケースの上端部に左・右穀稈引越装置を取り付け、左右方向に沿った左右伝動ケースの中央部から立ち上げた左右の搬送伝動ケースに左・右根元搬送装置及び左・右掻込ホイールを設けたものは公知である。
【０００３】
【特許文献１】
特開平１１−２６６６５２号公報（第２〜３頁、第２図）
【０００４】
【発明が解決しようとする課題】
従来技術は、伝動軸の内装されている左右方向に沿った左右伝動ケースの左右両端部から左・右引越し伝動ケースを立ち上げて左・右穀稈引越装置を駆動し、左右伝動ケースの中央部から立ち上げた左右の搬送伝動ケースにより左・右根元搬送装置及び左・右掻込ホイールを駆動する構成で、刈取搬送部の伝動構成が複雑化しコストアップになる不具合が発生していた。そこで、この発明は、このような不具合を解消しようとするものである。
【０００５】
【課題を解決するための手段】
この発明は、前記課題を解決するために、次のような技術的手段を講じるものである。
請求項１の発明は、走行機体の前側部に刈取フレーム１２を昇降自在に設け、該刈取フレーム１２の前側部に伝動軸の内装されている左右方向に沿った前伝動ケース１２ｃを設け、該前伝動ケース１２ｃの左右両端部から左・右引越し伝動ケース１６，１６を立ち上げ、該左・右引越し伝動ケース１６，１６の下部から左・右搬送伝動ケース２４，２４を中央寄りに向けて延出し、該左・右搬送伝動ケース２４，２４の中央寄り端部には左・右根元搬送装置２７，２７を設け、前記前伝動ケース１２ｃ、左・右引越し伝動ケース１６，１６及び左・右搬送伝動ケース２４，２４の内部に設けられた伝動装置を経由して前記左・右根元搬送装置２７，２７に動力を伝達するように構成したことを特徴とする。
【０００６】
前記構成によると、走行機体の前側部に昇降自在に設けられている刈取フレーム１２の前側部には伝動軸の内装されている左右方向に沿った前伝動ケース１２ｃが設けられていて、この前伝動ケース１２ｃの左右両端部から立ち上げた左・右引越し伝動ケース１６，１６には左・右穀稈引越装置２０，２０が設けられていて、前伝動ケース１２ｃ及び左・右引越し伝動ケース１６，１６内の伝動装置を経て左・右穀稈引越装置２０，２０に動力が伝達される。また、左・右引越し伝動ケース１６，１６の下部から中央寄りに向けて延出している左・右搬送伝動ケース２４，２４の中央寄り端部には左・右根元搬送装置２７，２７が設けられていて、前伝動ケース１２ｃ、左・右引越し伝動ケース１６，１６及び左・右搬送伝動ケース２４，２４の内部の伝動装置を経由して左・右根元搬送装置２７，２７に動力が伝達される。
【０００７】
請求項２の発明は、走行機体の前側部に刈取フレーム１２を昇降自在に設け、該刈取フレーム１２の前側部に伝動軸の内装されている左右方向に沿った前伝動ケース１２ｃを設け、該前伝動ケース１２ｃの左右両端部から左・右引越し伝動ケース１６，１６を立ち上げ、該左・右引越し伝動ケース１６，１６の下部から左・右搬送伝動ケース２４，２４を中央寄りに向けて延出し、該左・右搬送伝動ケース２４，２４の中央寄り端部下方にはチエン型搬送無端帯からなる左・右根元搬送装置２７，２７を設け、前記左・右搬送伝動ケース２４，２４の中央寄り端部上方にはラグ付無端帯からなる左・右掻込搬送装置３４，３４を設け、前記前伝動ケース１２ｃ、左・右引越し伝動ケース１６，１６及び左・右搬送伝動ケース２４，２４に内装した伝動装置を経由して前記左・右根元搬送装置２７，２７及び左・右掻込搬送装置３４，３４に動力を伝達するように構成したことを特徴とする。
【０００８】
前記構成によると、走行機体の前側部に昇降自在に設けられている刈取フレーム１２の前側部には伝動軸の内装されている左右方向に沿った前伝動ケース１２ｃが設けられていて、この前伝動ケース１２ｃの左右両端部から立ち上げた左・右引越し伝動ケース１６，１６には左・右穀稈引越装置２０，２０が設けられていて、前伝動ケース１２ｃ及び左・右引越し伝動ケース１６，１６内の伝動装置を経て左・右穀稈引越装置２０，２０に動力が伝達される。また、左・右引越し伝動ケース１６，１６の下部から中央寄りに向けて延出している左・右搬送伝動ケース２４，２４の中央寄り端部の下方にはチエン型搬送無端帯の左・右根元搬送装置２７，２７が設けられ、左・右搬送伝動ケース２４，２４の中央寄り端部の上方にはラグ付き掻込無端帯の左・右掻込搬送装置３４，３４が設けられていて、前伝動ケース１２ｃ、左・右引越し伝動ケース１６，１６及び左・右搬送伝動ケース２４，２４の内部に設けた伝動装置を経由して左・右根元搬送装置２７，２及び左・右掻込搬送装置３４，３４に動力が伝達される。
【０００９】
請求項３の発明は、走行機体の前側部に刈取フレーム１２を昇降自在に設け、該刈取フレーム１２の前側部に伝動軸の内装されている左右方向に沿った前伝動ケース１２ｃを設け、該前伝動ケース１２ｃの左右両端部から左・右引越し伝動ケース１６，１６を立ち上げ、該左・右引越し伝動ケース１６，１６の下部から左・右搬送伝動ケース２４，２４を中央寄りに向けて延出し、該左・右搬送伝動ケース２４，２４の中央寄り端部下方には、チエン型搬送無端帯からなる左・右根元搬送装置２７，２７を設けると共に、その下方に左・右掻込ホイール３９，３９を設け、該左・右搬送伝動ケース２４，２４の中央寄り端部上方にはラグ付無端帯からなる左・右掻込搬送装置３４，３４を設け、前記前伝動ケース１２ｃ、左・右引越し伝動ケース１６，１６及び左・右搬送伝動ケース２４，２４に内装した伝動装置を経由して前記左・右根元搬送装置２７，２７、左・右掻込搬送装置３４，３４及び左・右掻込ホイール３９，３９を駆動するように構成したことを特徴とする。
【００１０】
前記構成によると、走行機体の前側部に昇降自在に設けられている刈取フレーム１２の前側部には伝動軸の内装されている左右方向に沿った前伝動ケース１２ｃが設けられていて、この前伝動ケース１２ｃの左右両端部から立ち上げた左・右引越し伝動ケース１６，１６には左・右穀稈引越装置２０，２０が設けられていて、前伝動ケース１２ｃ及び左・右引越し伝動ケース１６，１６内の伝動装置を経て左・右穀稈引越装置２０，２０に動力が伝達される。また、左・右引越し伝動ケース１６，１６の下部から中央寄りに向けて延出している左・右搬送伝動ケース２４，２４の中央寄り端部の下方にはチエン型搬送無端帯の左・右根元搬送装置２７，２７が設けられ、左・右根元搬送装置２７，２７の下方に左・右掻込ホイール３９，３９が設けられていて、左・右搬送伝動ケース２４，２４の中央寄り端部の上方にはラグ付き掻込無端帯の左・右掻込搬送装置３４，３４が設けられていて、前伝動ケース１２ｃ、左・右引越し伝動ケース１６，１６及び左・右搬送伝動ケース２４，２４の内部に設けられている伝動装置を経由して左・右根元搬送装置２７，２７、左・右掻込ホイール３９，３９及び左・右掻込搬送装置３４，３４に動力が伝達される。
【００１１】
【発明の効果】
請求項１の発明は、走行機体の前側部に昇降自在に設けられている刈取フレーム１２の前側部には伝動軸の内装されている左右方向に沿った前伝動ケース１２ｃを設け、この前伝動ケース１２ｃの左右両側部から立ち上げている左・右引越し伝動ケース１６，１６から中央寄りに向けて延出している左・右搬送伝動ケース２４，２４の中央寄り端部に左・右根元搬送装置２７，２７を設けたので、左・右根元搬送装置２７，２７の支持構成及び伝動構成を簡素化することができる。
【００１２】
請求項２の発明は、走行機体の前側部に昇降自在に設けられている刈取フレーム１２の前側部には伝動軸の内装されている左右方向に沿った前伝動ケース１２ｃを設け、この前伝動ケース１２ｃの左右両側部から立ち上げている左・右引越し伝動ケース１６，１６から中央寄りに向けて延出している左・右搬送伝動ケース２４，２４の中央寄り端部下方位置に左・右根元搬送装置２７，２７を設けたので、左・右根元搬送装置２７，２７の下方に空間部を形成できて、左・右搬送伝動ケース２４，２４への藁屑類の詰まりを少なくし穀稈を円滑に搬送することができる。
【００１３】
請求項３の発明は、走行機体の前側部に昇降自在に設けられている刈取フレーム１２の前側部には伝動軸の内装されている左右方向に沿った前伝動ケース１２ｃを設け、この前伝動ケース１２ｃの左右両側部から立ち上げている左・右引越し伝動ケース１６，１６から中央寄りに向けて延出している左・右搬送伝動ケース２４，２４の中央寄り端部上方には左・右掻込搬送装置３４，３４を設け、左・右搬送伝動ケース２４，２４の下方に左・右根元搬送装置２７，２７及び左・右掻込ホイール３９，３９を設けたので、藁屑類の詰まりを少なくし穀稈の掻込搬送性能を向上させることができる。
【００１４】
【発明の実施の形態】
以下、図面に示すこの発明の実施例の形態について説明する。
まず、図１〜図３に基づきコンバインの全体構成について説明する。コンバインの走行車体１はクローラ走行装置２，２により走行し、走行車体１上には、操縦席３、脱穀部４、グレンタンク５、排稾処理装置６等を搭載し、脱穀部４の前方には後部の支点回りに上下回動して昇降する刈取搬送部７が設けられている。
【００１５】
しかして、植立穀稈は刈取搬送部７の穀稈引越装置により引き起こされて刈刃装置で刈り取られ、刈取穀稈は掻込搬送されて後側の穀稈搬送装置１０に受け継がれて揚上搬送され、脱穀部４のフィードチエン１１に供給される。次いで、フィードチエン１１により扱室内に送り込まれた穀稈は扱胴（図示省略）の回転により脱穀され、受け網を通過した穀粒・藁屑類は揺動選別棚（図示省略）に落下供給され、揺動選別棚の篩作用により穀粒と藁屑類に分離されながら下方の選別風路（図示省略）に移行し風選れる。風選された穀粒は一番揚穀機（図示省略）によりグレンタンク５に揚穀され収納される。また、選別風路の終端側に流れた藁屑類は脱穀部４の後部から機外に排出され、また、フィードチエン１１により後方に搬送された脱穀済の排稾は排稾処理装置６により、例えば細断されて機外に排出される。
【００１６】
次に、図４〜図７に基づき刈取搬送部７について説明する。
刈取フレーム１２は、前後方向に沿う縦伝動ケース１２ａと、縦伝動ケース１２ａの後端部に設けられている動力入力ケース１２ｂと、縦伝動ケース１２ａの前端に左右方向に沿うように設けられている前伝動ケース１２ｃにより構成されていて、動力入力ケース１２ｂ内に軸架されている刈取入力軸１３にはエンジン（図示省略）から動力が伝達される。また、縦伝動ケース１２ａ、前伝動ケース１２ｃ内には刈取縦伝動軸１４、刈取横伝動軸１５が夫れ夫れ軸架されていて、刈取入力軸１３に伝達された動力がベベルギヤを経て刈取縦伝動軸１４に、次いでベベルギヤを経て刈取横伝動軸１５に伝達されるように構成されている。
【００１７】
刈取フレーム１２の前伝動ケース１２ｃの左右両側部から左・右引越し伝動ケース１６，１６を立ち上げ、この左・右引越し伝動ケース１６，１６の上部を内側に屈折している。この左・右引越し伝動ケース１６，１６内には左・右引越し伝動軸１７，１７を設けて、前記刈取横伝動軸１５の両端部からベベルギヤを介して左・右引越し伝動軸１７，１７に動力を伝達するように構成している。また、前伝動ケース１２ｃの中間部から中央引越し伝動ケース１８を延出している。この中央引越し伝動ケース１８は、下部側を前側に突出し、次いで後斜め上方に傾斜して延出する上側部で側面視屈折状に構成している。中央引越し伝動ケース１８内には中央引越し伝動軸１９を設けて、前記刈取横伝動軸１５の右側中途部からベベルギヤ群を介して中央引越し伝動軸１９に動力を伝達するように構成している。
【００１８】
そして、左・右引越し伝動ケース１６，１６及び中央引越し伝動ケース１８の上端部に、斜後方に急傾斜した左・右穀稈引越装置２０，２０及び中央穀稈引越装置２１を夫れ夫れ取り付けている。また、前伝動ケース１２ｃの両側から左・右分草杆２１，２１を前方に突出し、中央引越し伝動ケース１８の下部から中央分草杆２２，２２を前方に突出し、これら分草杆２１，２１，２２，２２の先端部に分草ガイド体２３を取り付けている。この左・右穀稈引越装置２０，２０及び中央穀稈引越装置２１は左・右分草杆２１，２１の内側上方に所定間隔隔てて配置されていて、分草杆２１，２１，２２，２２の分草ガイド体２３，…により引き起こされた穀稈が左・右穀稈引越装置２０，２０及び中央穀稈引越装置２１の下端部前側に案内される構成である。
【００１９】
なお、左・右穀稈引越装置２０，２０及び中央穀稈引越装置２１は、穀稈引越しケースと、穀稈引越しケース内に回動するように巻き掛けられている引越しチエン（図示省略）と、引越しチエンに起伏自在に取り付けられている引越しラグ等により構成されていて、左・右引越し伝動ケース１６，１６及び中央引越し伝動ケース１８内の左・右引越し伝動軸１７，１７、中央引越し伝動軸１９を経て引越しチエン（図示省略）に動力が伝動される構成である。
【００２０】
また、左・右引越し伝動ケース１６，１６の下側部から中央寄り斜め前方に向けて左・右搬送伝動ケース２４，２４を突出し、左・右搬送伝動ケース２４，２４内には伝動軸、ベベルギヤ、ウォーム、ウォームホイールからなる左・右搬送伝動装置２５，２５を内装し、左・右搬送伝動ケース２４，２４の先端側の左・右伝動軸２６，２６に動力を伝達している。
【００２１】
左・右搬送伝動ケース２４，２４の先端部下側には、左・右根元搬送装置２７，２７を中央寄り斜め後方に向けて延出するように設け、左・右根元搬送装置２７，２７の搬送部始端側を平面視ハ字状に後側を狭くなるように構成している。この左・右根元搬送装置２７，２７は、左・右伝動軸２６，２６に取り付けられている駆動スプロケット２７ａ、チエンレール２７ｂ、チエンレール２７ｂに軸架されている遊動スプロケット２７ｃ、テンションアーム２７ｄに軸架されているテンションスプロケット２７ｅ、バネ２７ｆ、チエン型搬送無端帯２７ｇにより構成されている。
【００２２】
また、左根元搬送装置２７を構成するにあたり、図８に示すように、左側のチエンレール２７ｂの前側部を左側から中央寄りに斜め後方に向けて延出し、後側部を中央から左側に向けて斜め後側に向けて延出し、その後側端部に遊動スプロケット２７ｃを軸架し（あるいは後側端部を円弧状に構成し）、搬送部を中途部から屈曲するように構成している。
【００２３】
そして、テンションアーム２７ｄをＬ型に屈折して構成し、遊動スプロケット２７ｃを軸支している軸を介してテンションアーム２７ｄの中途部の屈折部を軸支する構成としている。従って、遊動スプロケット２７ｃ及びテンションアーム２７ｄの軸支構成を共用化して構成を簡素化しながら、搬送無端帯２７ｇの張り調節代を大きくして張り効果を高めることができ、また、テンションアーム２７ｄを左外側に配置できて、調節ボルト２８の調節操作を容易にすることができる。
【００２４】
また、左引越し伝動ケース１６から支持フレーム２９を延出し、この支持フレーム２９の基部側を中央寄り斜め後側に向けて延出し、その先端部を中央寄りに斜め前側に向けて延出して屈折状に構成している。そして、支持フレーム２９の先端部に前記チエンレール２７ｂの中間部をブラケットを介して取り付けている。しかして、図８に示すように、左搬送伝動ケース２４、支持フレーム２９及びチエンレール２７ｂにより平面視四辺形状が構成され、その中央部に空間部３１が形成される。従って、右側のチエンレール２７ｂの強度アップを図りながら、その空間部３１から藁屑類を落下させて詰まりを防止できる。また、支持フレーム２９によりチエンレール２７ｂの中途部を支持できて構成を簡素化することができる。
【００２５】
なお、図８に示すように、左搬送伝動ケース２４、支持フレーム２９及びチエンレール２７ｂにより四辺形状に構成し、左搬送伝動ケース２４と支持フレーム２９の先端部との間をステー３２により連結することにより、チエンレール２７ｂの撓みを防止し、チエン型搬送無端帯２７ｇの撓みを防止し搬送性能を安定させることができる。
【００２６】
また、左根元搬送装置２７は、図８に示すように、前側の駆動スプロケット２７ａ、後側の遊動スプロケット２７ｃ及びテンションスプロケット２７ｅに搬送無端帯２７ｇを巻き掛けて構成し、テンションスプロケット２７ｅはテンションアーム２７ｄに軸支されていて、調節ボルト２８及びバネ２７ｆにより弾圧支持されている。
【００２７】
また、図９に示すように、左搬送伝動ケース２４から延出した前記支持フレーム２９にカバー３３を取り付け、カバー３３により前記バネ２７ｆは上方を被覆している。そして、カバー３３をその中央部から左右両側に下り傾斜に屈折し、藁屑類をカバー３３の左右両側に案内して落下させ、バネ２７ｆへの藁屑類の引っ掛かりを防止ししている。
【００２８】
また、図１０に示すように、左・右伝動軸２６，２６における左・右搬送伝動ケース２４，２４の下方部位には、駆動スプロケット２７ａ，２７ａを取り付けて、左・右根元搬送装置２７，２７の搬送無端帯２７ｇ，２７ｇを駆動するように構成している。
【００２９】
また、図１０に示すように、前記左・右搬送伝動ケース２４，２４の内側端部には上下方向の左・右伝動軸２６，２６を軸支し、この左・右伝動軸２６，２６における左・右根元搬送装置２７，２７の下方部位に左・右掻込ホイール３９，３９を取り付けている。
【００３０】
前記のように、左・右引越し伝動ケース１６，１６から左・右搬送伝動ケース２４，２４を前側中央寄りに向けて延出し、この左・右搬送伝動ケース２４，２４の下方位置に左・右根元搬送装置２７，２７を吊り下げ状に配置したので、左・右根元搬送装置２７，２７の下方には広い空間を形成できて、藁屑類の停滞を少なくし穀稈の搬送を円滑に行なうことができる。
【００３１】
左・右搬送伝動ケース２４，２４の左・右根元搬送装置２７，２７の上側には左・右掻込搬送装置３４，３４を設けている。この左・右掻込搬送装置３４，３４は、左・右伝動軸２６，２６に取り付けられている左・右駆動プーリ３４ａ、左・右伝動軸２６，２６に基部側が取り付けられている掻込フレーム３４ｂ、掻込フレーム３４ｂの先端部に軸支されている左・右プーリ３４ｃ、左・右駆動プーリ３４ａと左・右プーリ３４ｃ，３４ｃに巻き掛けているラグ付きの掻込ベルト３４ｄ，３４ｄにより構成されている。
【００３２】
そして、この左・右掻込搬送装置３４，３４の基部側を左・右根元搬送装置２７，２７の搬送部の前部上方に対応配置し、その前側部を左右両側に向けての斜め前側に延出し、穀稈の根元部に掻込ベベル３４ｄ，３４ｄのラグが作用して左右両側部から中央寄りに穀稈を集め、左・右根元搬送装置２７，２７の始端部に掻込搬送するように構成している。
【００３３】
また、図４に示すように、前伝動ケース１２ｃの両側から前方に延出している左・右分草杆２１，２１から、中央寄り後側に向けてステー３５，３５を延出し、そのステー３５，３５の先端部に左・右掻込搬送装置３４，３４の掻込フレーム３４ｂ，３４ｂの先端側を支持している。
【００３４】
また、図７及び図９に示すように、左引越し伝動ケース１６から左斜め後方に向けてステー３６を延出し、そのステー３６に左掻込搬送装置３４におけるテンションスプロケット２７ｅ調節用の調節ボルト２８を支持している。そして、そのステー３６に左側の刈取サイドカバー３７の後側部を支持すると共に、左側の刈取サイドカバー３７の前側部を左穀稈引越装置２０のケースに取り付けている。
【００３５】
また、図４に示すように、右側の刈取サイドカバー３７の後側部を右引越し伝動ケース１６から右後側に向けて延出しステー３８に取り付け、右側の刈取サイドカバー３７の前側部を右側分草杆２１にボルト・ナットで取り付けている。
しかして、左根元搬送装置２７のテンションスプロケット２７ｅ調整用の調節ボルト２８を支持するステー３６を利用して、左側の刈取サイドカバー３７を取り付けているので、左側の刈取サイドカバー３７の支持構成を簡素化することができる。また、左側の刈取サイドカバー３７をステー３６に支持した状態では、ステー３６の支持強度がアップし、左根元搬送装置２７のテンションスプロケット２７ｅのテンションを確実にきかすことができる。
【００３６】
また、図１０及び図１１に示すように、左・右搬送伝動ケース２４，２４の先端部に軸架されている左・右伝動軸２６，２６には、左・右搬送伝動ケース２４，２４の下側に左・右掻込ホイール３９，３９及び駆動スプロケット２７ａ，２７ａを設けてボルト・ナットで連結して一体回転するように構成し、左・右伝動軸２６，２６における左・右搬送伝動ケース２４，２４の上側には左・右掻込搬送装置３４，３４の左・右駆動プーリ３４ａ，３４ａを設け、前記左・右駆動プーリ３４ａ，３４ａと駆動スプロケット２７ａ，２７ａとの間に、巻付防止カラー４０，４０を配設する構成としてもよい。
【００３７】
このように構成することにより、左・右搬送伝動ケース２４，２４の左・右伝動軸２６，２６により、左・右掻込搬送装置３４，３４及び左・右根元搬送装置２７，２７を駆動するものでありながら、巻付防止カラー４０，４０により左・右伝動軸２６，２６への藁屑類の巻付を少なくして、左・右搬送伝動ケース２４，２４を保護することができ、左・右搬送伝動ケース２４，２４をアルミ製としても摩耗を防止し耐久性を高めることができる。
【００３８】
刈取搬送部７の後部には穀稈搬送装置１０及び穂先搬送装置６３を設け、左・右根元搬送装置２７，２７により左右両側から中央部に搬送される穀稈を穀稈搬送装置１０及び穂先搬送装置６３に引継ぎ脱穀部４に搬送するように構成している。この穀稈搬送装置１０及び穂先搬送装置６３をその後部を上下及び左右に回動自在に構成されていて、機体後部の脱穀部４に扱ぎ深さ調節可能に穀稈を供給するように構成している。そして、図１２に示すように、この穀稈搬送装置１０及び穂先搬送装置６３の前端部を中央穀稈引越装置２１の後側に接近するように延設し、穂先搬送装置６３の前端部に対向するように穂先掻込ホイール６５を配置し、モータ（図示省略）で駆動するように構成している。そして、中央穀稈引越装置２１の引越しケースの後側には、上下方向中間部から上方にかけて平面視で変形三角形状の穂先ガイド板４１を後側に突出するように設けている。
【００３９】
しかして、左穀稈引越装置２０及び中央穀稈引越装置２１で引き起こされた穀稈穂先部は、穂先掻込ホイール６５及び穂先ガイド板４１の左側面により後方に案内されて穂先搬送装置６３の中途部に合流し、また、右穀稈引越装置２０で引き起こされた穀稈の穂先部は、穂先ガイド板４１の右側面に案内されて穂先搬送装置６３の始端部に合流し、これらは穂先搬送装置６３の中途部で合流して終端側に搬送される。
【００４０】
従って、左・右穀稈引越装置２０，２０及び中央穀稈引越装置２１により引き起こされた穀稈の穂先部は穂先ガイド板４１を経て穂先搬送装置６３及び穂先掻込ホイール６５に円滑に引き継がれ、短い穀稈のこぼれを防止し掻込搬送性能を高めることができる。
【００４１】
なお、中央穀稈引越装置２１の穀稈引越しケースにおける下部後側面の左側部には、弾性材で構成されている左ガイド杆４２を取り付け、この左ガイド杆４２を前記左掻込ホイール３９の外周部における右側部前側に沿わせている。また、中央穀稈引越装置２１の穀稈引越しケースにおける下部後側面の右側部には、弾性材で構成されている中央ガイド杆４３を取り、この中央ガイド杆４３を前記右根元搬送装置２７の搬送中途部に沿わせている。
【００４２】
図４、図１３に示すように、中央分草杆２２のフレーム部から左掻込ホイール３９に向けて支持部材４４を延出し、支持部材４４の先端部に軸受を介して左遊転掻込ホイール４５を支持し、左遊転掻込ホイール４５の掻込凸部を前記右掻込ホイール３９の掻込凸部とを係合し、右掻込ホイール３９を介して左遊転ホイール４５を駆動するように構成している。
【００４３】
そして、支持部材４４の先端部には、補助掻込搬送装置４６を前記左左掻込搬送装置３４及び左根元搬送装置２７に対して前後方向直線に左右対称状に設けている。なお、補助掻込搬送装置４６は、左遊転掻込ホイール４５と一体的に回転する遊転軸に取り付けられている駆動プーリ、遊転軸に基部側が取り付けられている掻込フレーム、掻込フレームの先端部に軸支されているプーリ、駆動プーリとプーリに巻き掛けているラグ付きの掻込ベルトにより構成されていてる。しかして、補助掻込搬送装置４６は左遊転掻込ホイール４５により駆動される。
【００４４】
また、図４に示すように、中央分草杆２２から弾性材からなる遊動掻込ホイールガイド杆４７を後方に向けて延出し、この遊転掻込ホイールガイド杆４７の中途部を屈曲して、その後側部を左遊転掻込ホイール４５の掻込凸部上方に沿わせて配置し、また、中央分草杆２２から弾性材からなる掻込ホイールガイド杆４８を左斜め後方に向けて延出し、この掻込ホイールガイド杆４８の中途部を屈曲して、その後側部を左掻込ホイール３９の掻込凸部の上方に沿わせて配置している。
【００４５】
また、中央分草杆２２から左・右掻込搬送ガイド杆４９，５０を左右後方に向けて延出し、左・右掻込搬送ガイド杆４９，５０の前側部を左右両側に向けて斜め後方に延出し、その中途部を屈曲して終端部を内側に向けて斜め後方に延出し、その終端部を左掻込搬送装置３４、補助掻込搬送装置４６のラグに平面視でオーバーラップするように対向して位置させ穀稈を案内するように構成している。
【００４６】
図１３について説明する。中央引越し伝動ケース１８にはブラケットを介して右根元穀稈ガイド杆（前側）５８を取り付け、この右根元穀稈ガイド杆（前側）５８を右掻込ホイール３９及び右根元搬送装置２７の搬送部始端側に対向して設けている。そして、この右根元穀稈ガイド杆（前側）５８は、始端側部５８ａ及び終端側部５８ｂによりＬ字型に屈曲して構成されていて、右掻込ホイール３９の前側部と始端側部５８ａとの間が平面視で前側ほど幅広に形成して掻込穀稈の受入れを円滑にするように構成し、終端側部５８ｂを右根元搬送装置２７の中途搬送部に沿わせて弾圧している。また、中央引越し伝動ケース１８にブラケットを介して右根元穀稈ガイド杆（後）５９を取り付け、この右根元穀稈ガイド杆（後）５９を右根元穀稈ガイド杆（前側）５８の後側に沿わせて後側に延出して右根元搬送装置２７の搬送終端部に弾圧して対向配置している。
【００４７】
右根元搬送装置２７の搬送始端側には右根元穀稈ガイド杆（前側）５８を配置し、搬送終端側には右根元穀稈ガイド杆（後）５９を対向配置し、夫れ夫れ短い搬送経路の穀稈を挟持するようにしたので、案内挟持性能を高め搬送穀稈のずれやこぼれを少なくすることができる。
【００４８】
また、図１４に示すように、中央引越し伝動ケース１８から左掻込ホイール３９に向けて支持部材４４を延出し、この支持部材４４の先端部に軸受５２を介して左遊転掻込ホイール４５を支持し、左遊転掻込ホイール４５の掻込凸部を前記左掻込ホイール３９の掻込凸部とを係合し、左掻込ホイール３９を介して左遊転掻込ホイール４５を駆動するように構成している。
【００４９】
そして、前記支持部材４４には左根元穀稈ガイド杆５４を取り付け、この左根元穀稈ガイド杆５４の始端側を左遊転掻込ホイール４５の掻込凸部の基部上方を経由して左根元搬送装置２７の搬送部の中途部に圧接するように延出している。また、支持部材４４先端の軸受５２には補助穀稈ガイド杆５５の先端リング部を嵌合支持し、補助穀稈ガイド杆５５を左根元穀稈ガイド杆５４の後側に沿わせて後方に延出し、補助穀稈ガイド杆５５の終端部を左根元搬送装置２７の終端部に圧接している。また、支持部材４４には遊動掻込ホイールガイド杆５３を左遊動掻込ホイール４５の掻込凸部の基部上方に沿わせて延出し、遊動掻込ホイールガイド杆５３の終端部を左根元搬送装置２７の中途搬送部に所定間隔隔てて配置し、遊動掻込ホイールガイド杆５３の終端部を補助穀稈ガイド杆５５の基部に支持している。
【００５０】
前記のように構成したので、左遊転掻込ホイール４５への穀稈の巻き込みを防止して円滑に穀稈を掻き込むことができ、また、左根元搬送装置２７の左斜め後方に向けて屈曲した終端搬送部で搬送中の穀稈を確実に挟持して搬送することができる。また、左遊転掻込ホイール４５を支持する支持部材４４を介して左根元穀稈ガイド杆５４及び補助穀稈ガイド杆５５を支持するので、支持構成を簡素化することができる。
【００５１】
また、図１５〜図１７に示すように、刈取フレーム１２の縦伝動ケース１２ａ下部から右斜め上方に向けて支持筒５６を延出し、右根元搬送装置２７のチエンレール２７ｂ後側位置で、且つ、搬送無端帯２７ｇの内周部位を支持筒５６の上端部で支持し、支持筒５６におけるチエンレール２７ｂの上側位置には、テンションアーム２７ｄの一端を軸架し、テンションアーム２７ｄの他端側を右斜め前方に向けて延出して搬送無端帯２７ｇの非搬送側中途部に位置させ、そのテンションアーム２７ｄの他端部にテンションスプロケット２７ｅを取り付けている。そして、テンションアーム２７ｄの他端部におけるテンションスプロケット２７ｅの外側位置に支持部５７を設け、支持部５７に調整自在に取り付けた調節ボルト２８及びバネ２７ｆにより、テンションスプロケット２７ｅをチエン型搬送無端帯２７ｇに圧接するように構成してもよい。
【００５２】
前記のように構成すると、刈取フレーム１２から延出した支持筒５６及び右引越し伝動ケース１６によりチエンレール２７ｂを支持することとなり、右根元搬送装置２７を強固なものとすることができ、また、支持筒５６を介してテンションアーム２７ｄを軸架したので構成を簡素化することができる。また、テンションスプロケット２７ｅ調整用のバネ２７ｆを左・右根元搬送装置２７，２７の終端側の合流部から離れた所に位置させることができ、テンションスプロケット２７ｅ及びバネ２７ｆに藁屑類の落下付着を少なくし、テンション性能を向上させることができる。
【００５３】
しかして、刈取搬送部７の回転各部を駆動し機体を前進させると、左・右分草杆１４，１４、中央分草杆１５の分草ガイド体１６の先端部で倒伏穀稈が掬い上げられながら左・右穀稈引越装置２０，２０及び中央穀稈引越装置２１の下端部に案内され、次いで、穀稈は左・右穀稈引越装置２０，２０及び中央穀稈引越装置２１の起立した引越しラグに引き継がれ、引越しラグの上方への移動により左・右穀稈引越装置２０，２０及び中央穀稈引越装置２１に沿って引き起こされ、刈刃装置６１（図１に示す）により刈り取られる。
【００５４】
次いで、引き起こされた穀稈の根元部は左・右掻込搬送装置３４，３４，補助掻込搬送装置４６、左・右掻込ホイール３９，３９，左遊転掻込ホイール４５及び左・右根元搬送装置２７，２７により、左右両側から中央部に集められながら後方に搬送されて、後方に搬送される穀稈は中央部に集められて左・右根元搬送装置２７，２７の終端部で合流し、次いで穀稈搬送装置１０に引き継がれて揚上搬送され、脱穀部４のフィードチエン１１に引き継がれる。
【図面の簡単な説明】
【図１】全体の側面図
【図２】全体の平面図
【図３】全体の正面図
【図４】要部の平面図
【図５】要部の斜視図
【図６】伝動経路を示す斜視図
【図７】要部の側面図、斜視図
【図８】要部の平面図
【図９】要部の平面図
【図１０】要部の切断正面図
【図１１】要部の平面図
【図１２】要部の切断平面図
【図１３】要部の平面図
【図１４】要部の平面図
【図１５】要部の平面図
【図１６】要部の平面図
【図１７】要部の平面図、切断側面図
【符号の説明】
１    走行車体
２    クローラ走行装置
３    操縦席
４    脱穀部
５    グレンタンク
６    排稾処理装置
１２    刈取フレーム
１２ｃ    前伝動ケース
１６    左・右引越し伝動ケース
２４    左・右搬送伝動ケース
２７    左・右根元搬送装置
３４    左・右掻込搬送装置
３９    左・右掻込ホイール
【図１】
2004344130.tif 000003
【図２】
2004344130.tif 000004
【図３】
2004344130.tif 000005
【図４】
2004344130.tif 000006
【図５】
2004344130.tif 000007
【図６】
2004344130.tif 000008
【図７】
2004344130.tif 000009
【図８】
2004344130.tif 000010
【図９】
2004344130.tif 000011
【図１０】
2004344130.tif 000012
【図１１】
2004344130.tif 000013
【図１２】
2004344130.tif 000014
【図１３】
2004344130.tif 000015
【図１４】
2004344130.tif 000016
【図１５】
2004344130.tif 000017
【図１６】
2004344130.tif 000018
【図１７】
2004344130.tif 000019